【事件の表示】
　特願２０１２−２６９９４８「包装体」拒絶査定不服審判事件〔平成２６年　６月２６日出願公開、特開２０１４−１１４０５１、請求項の数（１）〕について、次のとおり審決する。
【結　論】
　原査定を取り消す。
　本願の発明は、特許すべきものとする。
【理　由】
第１．手続の経緯
　本願は、平成２４年１２月１１日の出願であって、平成２８年８月１日付けで拒絶理由通知がされ、平成２８年１０月４日付けで手続補正がされ、平成２９年２月１７日付けで拒絶査定（原査定）がされ、これに対し、平成２９年５月２６日に拒絶査定不服審判の請求がされたものである。
　
第２．原査定の概要
　原査定の概要は次のとおりである。
　本願請求項１に係る発明は、以下の引用文献１〜２及び周知技術に基づいて、その発明の属する技術の分野における通常の知識を有する者（以下、「当業者」という。）が容易に発明できたものであるから，特許法第２９条第２項の規定により特許を受けることができない。
引用文献等一覧
１.特開２００１−１１８１２２号公報
２.特開２０００−６２７９８号公報
３.実願昭４７−５４８７号（実開昭４８−８２６３０号）のマイクロフィルム（周知技術を示す文献）
４.特開２００３−２８５８６９号公報（周知技術を示す文献）
第３．本願発明
　本願請求項１に係る発明（以下、「本願発明１」という。）は、平成２８年１０月４日付けの手続補正で補正された特許請求の範囲の請求項１に記載された事項により特定される発明であり、以下のとおりの発明である。
「【請求項１】
　それらの間に被包装物を入れることができ，かつ被包装物を取去ると互いに重なるように組合わされた表裏２枚のフィルムにより構成される包装体であり，
　これらの表裏２枚のフィルムのうちの少なくとも表フィルムは透明な部分を有し，
　これらの表裏２枚のフィルムには，文字，図形，記号およびこれらの組合せのうちの少なくとも一つを含む特定のイメージの一部を含む部分イメージが単独では上記特定のイメージを表わさず，被包装物が取去られて重ね合わされたときに表フィルムの透明部分を通して上記特定のイメージが現れるように描かれている，
　包装体。」
第４．引用文献、引用発明等
１．引用文献１について
　原査定の拒絶の理由に引用された上記引用文献１には、図面とともに次の事項が記載されている。
「【００１５】図１（ａ）は、本発明の第1の実施形態の記録媒体の平面図である。 図１（ｂ）は、その断面図である。透明プラスチックシートもしくはカード基材１０の同一平面上に、文字、数字または絵柄等の秘密情報となる元画像データを２つに分解してなる暗号画像データ１１と、もう一方の暗号画像データ１２が形成されており、前記２つの暗号画像データの相互の間にそれぞれの画像データを切り離す分離部１３を設けられている。分離部１３は、ミシン、きり欠き、筋付け等の加工手段によって設けることができる。」
「【００２０】本発明の記録媒体は、図４に示すように、視覚復号型暗号技術を利用して秘密情報となる元画像データを２つに分解してなる暗号画像データ１１と、もう一方の暗号画像データ１２が形成されており（図４(ａ)参照）、暗号画像データ１１と、暗号画像データ１２の２つの暗号画像データを分離部１３より切り離し（図４(ｂ)参照）、手操作で、暗号画像データ相互を所定の位置で重ね合わせて元画像データ１５を容易に復号する（図４(ｃ)参照）ことが可能である。勿論、隠蔽された秘密情報は誰かに見られてはならないものである。本発明では、暗号画像データを復号するためには、各々の暗号画像データを切り離すという不可逆操作を必要とするために、誰かにその秘密情報を見られた可能性があるかの確認ができ、不正利用を防止できる。」
　したがって、上記記載及び図４、図７からみて、上記引用文献１には次の技術事項（以下、「技術事項１」という。）が記載されていると認められる。
「透明プラスチックシートの同一平面上に、単独では特定のイメージを表わさず，重ね合わされたときに特定のイメージを表わすように描かれている、視覚復号型暗号を形成した記録媒体。」
２．引用文献２について
　原査定の拒絶の理由に引用された上記引用文献２には、図面とともに次の事項が記載されている。
「【００１１】図１及び図２に示すように、袋体１は、表裏フィルム部２、３によりほぼチューブ状に形成され、一端に物品取出口４を備え、他端に物品投入口５を備えている。
【００１２】図２（Ａ）に示すように、表裏フィルム部２、３の間には仕切フィルム６が介装されており、これにより、仕切フィルム６と表フィルム部２の間には物品取出口４に連通する未使用物品収納室７が形成され、仕切フィルム６と裏フィルム部３の間には物品投入口５に連通する使用済物品収納室８が形成される。」
「【００１７】袋体１は、一枚の合成樹脂フィルムから成る仕切フィルム６を挟んで上下から二枚の合成樹脂フィルムから成る表裏フィルム部２、３を重合した状態で、袋体１の両側縁を溶断溶着するサイドシール方式により製袋することが可能である。このサイドシール方式で製袋した袋体１を図３（Ａ）に示しており、袋体１の両側縁の溶着縁２１において、表裏フィルム部２、３及び仕切フィルム６がサンドイッチ状に溶着されている。
【００１８】或いは、袋体１は、一枚の合成樹脂フィルムを折曲すると共に、突き合わせ端縁を相互に溶着２２することにより、表裏フィルム部２、３の間に位置する袋体１の両側部にガゼット２３、２３を形成したガゼット付チューブ形成方式により製袋することが可能である。このガゼット付チューブ形成方式により製袋した袋体１を図３（Ｂ）に示しており、この場合、仕切フィルム６の両側縁は、ガゼット２３、２３から遊離している。
【００１９】袋体１を構成する表裏フィルム部２、３のうち、少なくとも表フィルム部２は、透明又は半透明に構成されている。従って、裏フィルム部３及び仕切フィルム６は、透明又は半透明でも良く、或いは不透明でも良い。従って、未使用物品収納室７に物品を収納していない状態では、透明又は半透明の表フィルム部２を透視して仕切フィルム６の表面を外部から視認することが可能である。
【００２０】そこで、表フィルム部２を透視して視認可能な仕切フィルム６の表面には、図１（Ｂ）に示すように、「使用済」又は「ＵＳＥＤ」のような識別表示２４が設けられている。この識別表示２４は、未使用物品収納室７に乾電池等の物品を並列して収納した状態で、仕切フィルム６の表面であって各物品により被われる位置に悉く表示されている。尚、識別表示２４は、仕切フィルム６の表面に直接に印刷することが好ましいが、識別表示２４を印刷等により施した別体のシートを仕切フィルム６の表面に重合配置しても良い。
【００２１】上記構成の袋体１により乾電池を店頭販売するに際しては、未使用物品収納室７に商品としての未使用の乾電池２５ａを並列状態で収納する。即ち、乾電池２５ａの軸線が袋体１の幅方向に向かうようにして、未使用物品収納室７の底部１０から物品取出口４の近傍まで複数個の乾電池２５ａが収納され、物品取出口４を封口片１３により封口すると共に、物品投入口５を封口片１７により封口した状態で、店頭に陳列され販売される。この状態で、仕切フィルム６の上には、各識別表示２４に対応して乾電池２５ａが配置されているので、表フィルム部２を透視して乾電池２５ａだけが視認せしめられ、識別表示２４は視認されない。尚、図例では、８個の乾電池２５ａを収納したパッケージを示しているが、その個数には限定されない。
【００２２】パッケージを購入したユーザが乾電池２５ａを使用するに際には、図１（Ａ）及び図２（Ｂ）にそれぞれ鎖線で示すように、「取出口」の指示表示１５を確認することにより、取出口用の封口片１３を開放し、開口せしめられた物品取出口４から必要個数の乾電池２５ａを取出せば良い。尚、取出し後、封口片１３により物品取出口４を封口する。
【００２３】取出し後、使用することにより消耗した使用済の乾電池２５ｂは、袋体１の使用済物品収納室８に収納する。即ち、図１（Ｂ）及び図２（Ｃ）に示すように、「投入口」の指示表示１９を確認することにより、投入用の封口片１７を開放し、開口せしめられた物品投入口５から使用済の乾電池２５ｂを使用済物品収納室８に投入し、封口片１７により物品投入口５を封口すれば良い。この使用済の乾電池２５ｂの投入により、未使用物品収納室７内の未使用の乾電池２５ａが仕切フィルム６を介して物品取出口４に向けて押しやられ、使用済物品収納室８に投入された使用済の乾電池２５ｂと、未使用物品収納室７内の未使用の乾電池２５ａとは、仕切フィルム６の変形を介して、同一線上に配列される。
【００２４】そこで、使用済の乾電池２５ｂにより仕切フィルム６が押上げられると共に表フィルム部２の下面に重なり合い、「使用済」又は「ＵＳＥＤ」のような識別表示２４を露呈する。即ち、図２（Ｂ）に示すように、２個の使用済の乾電池２５ｂを使用済物品収納室８に投入した状態で、各乾電池２５ｂの上に位置して各識別表示２４が現れるので、ユーザは、表フィルム部２を透視して外部から識別表示２４を視認することにより、各識別表示２４の下側に位置する乾電池２５ｂが使用済であることを確認できる。」
　したがって、上記記載及び図１、図２からみて、上記引用文献２には次の発明（以下、「引用発明」という。）が記載されていると認められる。
「表フィルム部を有する袋体及び仕切りフィルムを備え、それらの間に被包装物を入れることができる小物販売用袋において、表フィルム部は透明な部分を有し、仕切フィルムには識別表示が描かれ、仕切フィルム上の被包装物を取去り、仕切フィルムの下に被包装物を投入することにより、表フィルム部と仕切りフィルムが互いに重なるように組合わされて、識別表示が現れる、乾電池等の小物販売用袋。」
３．引用文献３について
　原査定の拒絶の理由に例示された上記引用文献３には、図面とともに次の事項が記載されている。
「４はロープ１の収納袋であつて、白地直方体の背面体４ａと、この背面体４ａと同形の透明樹脂正面体４ｂによつて袋体を構成している。収納袋体４の上端面は開口しており、この開口端において背面体４ａに延長端４ａ’を設け、この延長端にホツク５の一方を、又他方のホツク５’を正面体４ｂに設けてある。そして上記背面体４ａの表、裏のそれぞれに”注意”など警告文６，６を表し、この警告文６，６のうち袋体の内部に表されたものも、透明樹脂正面体４ｂを通して外部から透視できるようにしてある。」（２頁１５行〜３頁６行）
「このように本考案は普段はロープを収納しておく袋として用い、ロープ使用時にはロープに着脱自在につり下げて白旗として利用し、しかもこの白旗に表された警告文はいづれの側からでも見えるのであつて非常に実用価値は大である。」（３頁１９行〜４頁３行）
　したがって、上記記載及び図１、図２からみて、上記引用文献３には次の技術事項（以下、「技術事項３」という。）が記載されていると認められる。
「カーロープ収納袋を表裏２枚のフィルムにより構成し、それらの間に被包装物を入れることができるようにするとともに、表側のフィルムは透明な部分を有し、被包装物を取去ると警告文が現れるようにした点。」
４．引用文献４について
　原査定の拒絶の理由に例示された上記引用文献４には、図面とともに次の事項が記載されている。
「【００１３】板状部材Ａは、上下に長い垂直略長方形状で周縁部分２を除く中央大半部分を前方へ膨出３した基板部１と、該基板部下端部から、第1ヒンジ４を介して基板部１と左右同巾で前後方向に広巾の接地板部５を前方（図２の状態では下方）へ突出している。」
「【００２８】請求項２の発明によれば、補助板Ｃ及び基板部１を透明材料で形成したから、補助板、基板部、及びシール板の各前面に補完用模様を描き、前方から見たときにこれら模様が一つの完成模様を立体的に形成するように設けることができ、これにより意匠的効果を高めることができる。」
　したがって、上記記載及び図１、図２からみて、上記引用文献４には次の技術事項（以下、「技術事項４」という。）が記載されていると認められる。
「合成樹脂性容器の前面を形成する補助板及び板状部材の基板部を透明材料で形成し、補助板、基板部、及びシール板の各前面に補完用模様を描き、前方から見たときにこれら模様が一つの完成模様を立体的に形成するようにした点。」
第５．対比・判断
（１）対比
　本願発明１と引用発明とを対比すると、次のことがいえる。
　引用発明の「小物販売用袋」は本願発明１の「包装体」に、同様に、「表フィルム部」は「表フィルム」に、「仕切フィルム」は「裏フィルム」に相当する。
　また、引用発明の「仕切フィルムには識別表示が描かれ、仕切フィルム上の被包装物を取去り、仕切フィルムの下に被包装物を投入することにより、表フィルム部と仕切りフィルムが互いに重なるように組合わされて、識別表示が現れる」は本願発明１の「表裏２枚のフィルムには，文字，図形，記号およびこれらの組合せのうちの少なくとも一つを含む特定のイメージの一部を含む部分イメージが単独では上記特定のイメージを表わさず，被包装物が取去られて重ね合わされたときに表フィルムの透明部分を通して上記特定のイメージが現れるように描かれている」と「フィルムには、表示が、被包装物が取去られて表裏フィルムが重ね合わされたときに表フィルムの透明部分を通して現れるように描かれている」の限りにおいて一致する。
　したがって、本願発明１と引用発明とは、「それらの間に被包装物を入れることができ，かつ被包装物を取去ると互いに重なるように組合わされた表裏２枚のフィルムにより構成される包装体であり，
　これらの表裏２枚のフィルムのうちの少なくとも表フィルムは透明な部分を有し，
　これらのフィルムには、表示が、被包装物が取去られて表裏フィルムが重ね合わされたときに表フィルムの透明部分を通して現れるように描かれている包装体。」の点で一致し、次の点で相違する。
（相違点）
　本願発明１は、表示が「特定のイメージの一部を含む部分イメージ」が「表裏２枚のフィルム」に描かれたものであり、「単独では上記特定のイメージを表わさず，被包装物が取去られて重ね合わされたときに表フィルムの透明部分を通して上記特定のイメージが現れる」のに対して、引用発明の表示は裏フィルムに書かれた特定のイメージを表すものである点。
（２）相違点についての判断
　上記相違点について検討する。
　上記引用文献１には、「単独では特定のイメージを表わさず、重ね合わされたときに特定のイメージを表わすように描かれている」表示に関する技術（技術事項１）が記載されているものの、当該表示は記録媒体の「透明プラスチックシートの同一平面上に」形成されるものであり、引用文献１及び引用文献２の何れにも、「被包装物を入れることができ，かつ被包装物を取去ると互いに重なるように組合わされた表裏２枚のフィルムにより構成される包装体」の「表裏２枚のフィルム」に「単独では特定のイメージを表わさず，被包装物が取去られて重ね合わされたときに」「特定のイメージが現れる」表示を形成することが記載されていない。
　また、同様に、引用文献３及び引用文献４の何れにも「被包装物を入れることができ，かつ被包装物を取去ると互いに重なるように組合わされた表裏２枚のフィルムにより構成される包装体」の「表裏２枚のフィルム」に「単独では特定のイメージを表わさず，被包装物が取去られて重ね合わされたときに」「特定のイメージが現れる」表示を形成することが記載されていない。
　そして、引用発明の表示は、被包装物が使用済みであることを識別するためのものであり、あえて「単独では特定のイメージを表わさ」ないものを用いる理由は認められない。
　また、技術事項１から把握される発明を主として考えた場合でも、透明プラスチックシートからなる記録媒体を被包装物を入れることができる包装体に変えることが引用文献１〜４の何れの文献にも記載されていない。
　したがって、本願発明１は、当業者であっても、引用文献１〜４に基づいて容易に発明できたものとはいえない。
　さらに、本願発明１は上記相違点に係る構成により、「消費者は特定イメージを見るために包装体内の内容物を早く取出す（消費する）ようになる。内容物が早く消費されるのでその価値が早く生かされることになるとともに，この発明による包装体で包装された物を購入する消費者が多くなり，販売が促進される。」（本願明細書段落【００１４】）という格別な効果を奏するものと認められる。
第６．むすび
　以上のとおり、本願発明１は、当業者が引用文献１〜２に記載された発明及び周知技術に基づいて容易に発明をすることができたものではない。したがって、原査定の理由によっては、本願を拒絶することはできない。
　また、他に本願を拒絶すべき理由を発見しない。
　よって、結論のとおり審決する。